(57)【要約】【課題】接着剤を接着領域全体に行き渡らせ、かつ接着領域外へのはみ出しを低減する。【解決手段】表示装置用部材の製造装置１００は、第１のワークである液晶パネルＳ１に接着剤Ｒを点状又は線状に塗布する接着剤塗布装置１と、第２のワークであるカバーパネルＳ２の、液晶パネルＳ１と接着される接着領域に対して、他の領域である外縁領域よりも接着剤Ｒに対する親液性を高くする処理を行う接着領域改質装置として、プラズマ処理装置５を備える。表示装置用部材の製造装置１００はさらに、液晶パネルＳ１に塗布された接着剤ＲをカバーパネルＳ２の接着領域に接触させることで、液晶パネルＳ１とカバーパネルＳ２を貼り合せる貼合装置２と、を備える。【選択図】図１
2017032752.tif 000002
【特許請求の範囲】
【請求項１】
表示装置を構成する一対のワークが貼り合わされた表示装置用部材の製造装置であって、
第１のワークに接着剤を点状又は線状に塗布する接着剤塗布装置と、
第２のワークの、前記第１のワークと接着される接着領域に対して、他の領域よりも前記接着剤に対する親液性を高くする処理を行う接着領域改質装置と、
前記第１のワークに塗布された前記接着剤を前記第２のワークの前記接着領域に接触させることで前記一対のワークを貼り合わせる貼合装置と、を備えることを特徴とする表示装置用部材の製造装置。
【請求項２】
前記接着領域改質装置はプラズマ処理装置であり、当該プラズマ処理装置は、前記接着領域にプラズマ処理を行って親液性を高めることを特徴とする請求項１記載の表示装置用部材の製造装置。
【請求項３】
前記プラズマ処理装置は、
前記第２のワークの前記他の領域をマスキングするマスキングユニットを備えることを特徴とする請求項２記載の表示装置用部材の製造装置。
【請求項４】
前記接着領域改質装置は、前記接着領域に親液材料を供給する親液材料供給装置であることを特徴とする請求項１記載の表示装置用部材の製造装置。
【請求項５】
前記第２のワークの前記他の領域に撥液処理を行う撥液処理装置を更に備えることを特徴とする請求項１〜４のいずれか一項に記載の表示装置用部材の製造装置。
【請求項６】
前記貼合装置は、
前記接着剤が塗布された面を下側にして前記第１のワークを保持する保持部と、
前記第２のワークの接着領域を有する面を上側にして支持する支持部と、を備え、
大気圧下にて前記一対のワークの貼り合せを行うことを特徴とする請求項１〜５のいずれか一項に記載の表示装置用部材の製造装置。
【請求項７】
表示装置を構成する一対のワークが貼り合わされた表示装置用部材の製造方法であって、
第１のワークに接着剤を点状又は線状に塗布する塗布処理と、
第２のワークの前記第１のワークと接着される接着領域に対して、他の領域よりも前記接着剤に対する親液性を高くする処理を行う接着領域改質処理と、
前記第１のワークに塗布された前記接着剤を前記第２のワークの前記接着領域に接触させることで前記一対のワークを貼り合わせる貼合処理と、を有することを特徴とする表示装置用部材の製造方法。
【発明の詳細な説明】
【技術分野】
【０００１】
本発明は、表示装置用部材の製造装置及び表示装置用部材の製造方法に関する。
【背景技術】
【０００２】
一般的に、液晶ディスプレイや有機ＥＬディスプレイを代表とする平板状の表示装置、いわゆるフラットパネルディスプレイは、表示パネルとその他のワークが筐体に組み込まれて構成されている。その他のワークとしては、操作用のタッチパネル、表面を保護するカバーパネル、バックライト、バックライトの導光板等がある。
【０００３】
これらのワークは、個別にあるいは予め積層された状態で筐体に組み込まれる。例えば、保護カバーにタッチパネルを積層した複合パネルとして構成されたものを用いることもある。
【０００４】
また、表示パネルには、タッチパネルの機能が組み込まれたものが用いられることもある。このように、ワークとしては様々な形態があるが、以下、表示装置を構成するワークを、複数積層したものを、表示装置用部材と呼ぶ。
【０００５】
このような、表示装置用部材として積層される各ワークの間にギャップが存在すると、外光反射により、ディスプレイの表示面の視認性が低下する。これに対処するため、各ワークを、接着剤を介して貼り合せて積層することによって、各ワークの間のギャップを埋めることが行われている。
【先行技術文献】
【特許文献】
【０００６】
【特許文献１】特開２００４−３２５７８８号公報
【発明の概要】
【発明が解決しようとする課題】
【０００７】
接着剤を介した貼り合せには種々の方法があるが、一例として、一方のワークに接着剤を点状又は線状に塗布し、他方のワークに重ね合わせる方法がある。一方のワークに塗布された接着剤は、一方のワークと他方のワークとが重ね合わされるとその間で濡れ広がる。ここで、点状又は線状に塗布すると、接着剤は塗布された位置を起点として周囲へと広がるが、接着領域の全域に接着剤が均一に濡れ広がらないことがある。これによって、ワークの接着領域に接着剤が到達しない部分が生じたり、接着剤が接着領域外へはみ出てしまったりするおそれがある。結果として、製品の外観不良を招く可能性や、はみ出した接着剤の拭き取り作業が生じる可能性があった。
【０００８】
本発明の目的は、上述したような課題を解決するために、接着剤がはみ出すことを防止することで、高い品質の表示装置用部材を製造することを可能にし、また製品の歩留りも向上させることができる表示装置用部材の製造装置及び製造方法を提供することにある。
【課題を解決するための手段】
【０００９】
上記の目的を達成するために、本発明は、表示装置を構成する一対のワークが貼り合わされた表示装置用部材の製造装置であって、第１のワークに接着剤を点状又は線状に塗布する接着剤塗布装置と、第２のワークの、前記第１のワークと接着される接着領域に対して、他の領域よりも前記接着剤に対する親液性を高くする処理を行う接着領域改質装置と、前記第１のワークに塗布された前記接着剤を前記第２のワークに接触させることで前記一対のワークを貼り合わせる貼合装置と、を備える表示装置用部材の製造装置を提供する。
【００１０】
前記接着領域改質装置を、前記接着領域にプラズマ処理を行って親液性を高めるプラズマ処理装置としても良い。
【００１１】
前記プラズマ処理装置に、前記第２のワークの前記他の領域をマスキングするマスキングユニットを備えても良い。
【００１２】
前記接着領域改質装置を、前記接着領域に親液材料を供給する親液材料供給装置としても良い。
【００１３】
前記第２のワークの前記他の領域に撥液処理を行う撥液処理装置を更に備えても良い。
【００１４】
前記貼合装置は、前記接着剤が塗布された面を下側にして前記第１のワークを保持する保持部と、前記第２のワークの接着領域を有する面を上側にして支持する支持部と、を備え、大気圧下にて前記一対のワークの貼り合せを行っても良い。
【００１５】
また、本発明は、表示装置を構成する一対のワークが貼り合わされた表示装置用部材の製造方法であって、第１のワークに接着剤を点状又は線状に塗布する塗布処理と、第２のワークの前記第１のワークと接着される接着領域に対して、他の領域よりも前記接着剤に対する親液性を高くする処理を行う接着領域改質処理と、前記第１のワークに塗布された前記接着剤を前記第２のワークに接触させることで前記一対のワークを貼り合わせる貼合処理と、を有する表示装置用部材の製造方法を提供する。
【発明の効果】
【００１６】
以上、説明したように、本発明によれば、接着剤を接着領域全体に行き渡らせ、かつ接着領域外へのはみ出しを低減することができる。結果として、表示装置用部材の品質を向上させ、製品の歩留りを向上させる。  
【図面の簡単な説明】
【００１７】
【図１】本発明の第１の実施形態に係る表示装置用部材の製造装置の概略構成図である。
【図２】接着剤塗布装置の概略構成図である。
【図３】プラズマ処理装置の概略構成図である。
【図４】貼合装置の概略構成及び動作を示す図である。
【図５】硬化装置の概略構成及び動作を示す図である。
【図６】（Ａ）は、液晶パネルの上面図である。（Ｂ）は液晶パネルの側面図である。（Ｃ）はカバーパネルの上面図である。（Ｄ）はカバーパネルの側部断面図である。（Ｅ）は液晶パネル及びカバーパネルを上下に離間して重ねた状態を示す側部断面図である。
【図７】（Ａ）は接着剤が塗布された液晶パネルの上面図である。（Ｂ）は接着剤が塗布された液晶パネルの側面図である。
【図８】（Ａ）はプラズマ処理される前のカバーパネルの状態を示す図である。（Ｂ）はプラズマ処理によるカバーパネルの状態の変化を示す図である。（Ｃ）はプラズマ処理後のカバーパネルの状態を示す図である。
【図９】（Ａ）はプラズマ処理を行わなかった場合の、貼り合せ処理における接着剤の濡れ広がりを示す図である。（Ｂ）はプラズマ処理を行った場合の、貼り合せ処理における接着剤の濡れ広がりを示す図である。
【図１０】本発明の第２の実施形態に係る表示装置用部材の製造装置の概略構成図である。
【図１１】親液材料供給装置の概略構成図である。
【発明を実施するための形態】
【００１８】
［第１の実施形態］
本発明の実施の形態（以下、実施形態と呼ぶ）について、図面を参照して具体的に説明
する。
【００１９】
［構成］
［ワーク］
本装置は、表示装置用部材の積層体を製造する表示装置用部材の製造装置である。表示装置用部材には、表示パネルとカバーパネルを積層した部材のように表示機能を備えた部材も、カバーパネルとタッチパネルを積層した部材のようにその部材だけでは表示機能を備えていない部材も含まれる。すなわち、表示装置用部材の製造装置での処理の対象となるワークは、表示パネル、タッチパネル、カバーパネル、バックライトやその導光板等の様々なものがあり、いずれを組み合わせても良い。
【００２０】
［表示装置用部材の製造装置］
図１に示すように、表示装置用部材の製造装置１００は、接着剤塗布装置１、プラズマ処理装置５、貼合装置２、硬化装置３及び搬送装置４を備えている。表示装置用部材の製造装置１００はまた、各装置を制御する制御装置７を備えている。以下に、各装置の構成を詳述する。
【００２１】
［搬送装置］
搬送装置４は、表示装置用部材Ｌを構成するワークＷを、上述した接着剤塗布装置１、プラズマ処理装置５、貼合装置２及び硬化装置３の各部へ搬送する搬送部とその駆動機構から構成される。なお、本実施形態では、ワークＷが液晶パネル（第１のワーク）Ｓ１とカバーパネル（第２のワーク）Ｓ２のいずれか、またはそれらの組み合わせであるものとして説明する。搬送装置４としては、たとえば、ターンテーブル、コンベア、レール上に走行可能に設けられたピックアップ手段等が考えられるが、上記の各装置の間で液晶パネルＳ１とカバーパネルＳ２を搬送可能なものであれば、どのような装置であってもよい。
【００２２】
本実施形態では、搬送装置４としてコンベア４０を用いる例を説明する。表示装置用部材Ｌの材料となるワークＷはローダ２００によって搬入され、コンベア４０の面に載置され、搬送される。接着剤塗布装置１、プラズマ処理装置５、貼合装置２及び硬化装置３はこのコンベア４０に沿って配置されている。不図示のピックアップ手段によって、液晶パネルＳ１、カバーパネルＳ２はコンベア４０からピックアップされ、不図示の搬入口を介して各装置への搬入及び搬出がなされる。各装置での工程を経て最終的に製造された表示装置用部材Ｌは、アンローダ３００によって表示装置用部材の製造装置１００から搬出される。ここで、コンベア４０は、液晶パネルＳ１とカバーパネルＳ２とを、搬送方向とは直交する方向に並べて搬送するものでも、搬送方向に沿う方向に並べて搬送するものでもどちらでも良い。
【００２３】
［接着剤塗布装置］
接着剤塗布装置１は、図２に示すように、ワークＷを移動可能に支持する支持ユニット１１と、支持ユニット１１の上方に配置された塗布ユニット１２を備える。
【００２４】
支持ユニット１１は、ステージ１１ａ及び駆動機構１１ｂを有する。ステージ１１ａは、ワークＷが載置される平板状のテーブルである。駆動機構１１ｂは、ステージ１１ａをＸ及びＹ方向に往復移動させる機構である。なお、Ｘ方向は図面の左右方向であり、Ｙ方向は図面の手前から奥の方向である。駆動機構１１ｂは、例えば、ステージ１１ａをＸ方向及びＹ方向にそれぞれ移動させるリニアスライダを組み合わせて構成しても良い。ただし、載置されたワークＷをＸ及びＹ方向に往復移動可能なものであれば、どのような機構であってもよい。駆動機構１１ｂにおけるステージ１１ａの移動の開始、停止及び速度は、制御装置７によって制御される。
【００２５】
塗布ユニット１２は、接着剤Ｒを収容するタンク１２ａと、ディスペンサ１２ｂとを備えている。タンク１２ａは、接着剤Ｒの流路である配管及び接着剤Ｒの供給量を調節するバルブを介してディスペンサ１２ｂに接続される。ディスペンサ１２ｂは、タンク１２ａに収容された接着剤Ｒを供給口から滴下する。供給口は、ノズルの先端に形成されたものや、単なる開口を含み、その形状は問わない。なお、本実施形態では、供給口がノズルの先端に形成されたものとして説明する。
【００２６】
接着剤塗布装置１で使用する接着剤Ｒは、後述する硬化装置３において硬化処理を行う為、外部からエネルギーの照射により硬化する樹脂を用いる。例えば、紫外線（ＵＶ）硬化樹脂や熱硬化樹脂、その他の電磁波、放射線等のエネルギーによって硬化する樹脂等が考えられる。本実施形態では、ＵＶ硬化樹脂を用いて説明する。使用される接着剤Ｒの粘度は、特に限定はされない。
【００２７】
なお、ここではステージ１１ａが移動し、塗布ユニット１２をＸＹ方向に固定した場合を説明したが、この移動は相対的であれば良い。すなわち、ステージ１１ａを固定として、塗布ユニット１２に駆動機構を備えて移動するようにしても良い。
【００２８】
［プラズマ処理装置］
【００２９】
プラズマ処理装置５は、図３に示すように、ワークＷを移動可能に支持する支持ユニット５１と、支持ユニット５１の上方に配置されたプラズマ発生器５２を備える。また、支持ユニット５１とプラズマ発生器５２の間にはマスキングユニット５３が配置されている。
【００３０】
支持ユニット５１は、ステージ５１ａ及び駆動機構５１ｂを有する。ステージ５１ａは、ワークＷが載置される平板状のテーブルである。駆動機構５１ｂは、ステージ５１ａをＸ及びＹ方向に往復移動させる機構である。なお、Ｘ方向は図面の左右方向であり、Ｙ方向は図面の手前から奥の方向である。駆動機構５１ｂとしては、例えば、ステージ１１ａをＸ方向及びＹ方向にそれぞれ移動させるリニアスライダを組み合わせて構成しても良い。ただし、載置されたワークＷをＸ及びＹ方向に往復移動可能な装置であれば、どのような装置であってもよい。駆動機構５１ｂにおけるステージ５１ａの移動の開始、停止及び速度は、制御装置７によって制御される。
【００３１】
プラズマ発生器５２は、プラズマを発生させる種々の装置を用いることができる。例えば、低圧水銀ランプ又はエキシマランプ等のＵＶ光を照射するランプを用いることができる。このようなプラズマ発生器５２は、大気圧下でＵＶ光を照射することで酸素ラジカルを発生させる。発生した酸素ラジカルは、下方のステージ５１ａに載置されたワークＷの表面に衝突する。
【００３２】
マスキングユニット５３は、プラズマ発生器５２とステージ５１ａの間に配置され、ステージ５１ａに載置されたワークＷの所望の領域をプラズマ発生器５２から覆って、酸素ラジカルが衝突することを防ぐ。マスキングユニット５３は、例えば、所望の領域に対応する額縁形状のフレームから構成すると良い。フレームは不図示の支持手段によりステージ５１ａに固定し、ステージ５１ａと一体で移動するようにすると良い。なお、図３においては、マスキングユニット５３は、間隔をおいて配置した２枚の板状部材の如くに簡略化して示しているが、平面視では矩形枠状のフレームに構成されている。
【００３３】
［貼合装置］
貼合装置２は、図４（Ａ）に示すように、下側プレート２２と上側プレート２３を対向配置した構成となっている。
【００３４】
上側プレート２３は、面上にワークＷを保持する保持機構を備えている。保持機構としては、たとえば、静電チャック、メカチャック、真空チャック、粘着チャック等、現在又は将来において利用可能なあらゆる保持機構が適用可能である。複数の種類のチャックを併用することも可能である。上側プレート２３には駆動機構２５が備えられている。この駆動機構２５によって、上側プレート２３は上下方向に移動可能になっている。
【００３５】
下側プレート２２は、ワークＷが載置される平板状の部材である。なお、下側プレート２２は、載置されたワークＷの位置がずれないように、上側プレート２３と同様の保持機構を備えていてもよい。下側プレート２２は、不図示の駆動機構を備えている。この駆動機構によって、下側プレート２２はＸ方向、Ｙ方向及びθ方向に移動可能になっている。なお、Ｘ方向は図面の左右方向であり、Ｙ方向は図面の手前から奥の方向であり、θ方向は垂直方向を軸とする回転方向である。なお、上側プレート２３及び下側プレート２２のいずれかあるいは両方が、上下方向並びにＸ，Ｙ及びθ方向の全ての方向に移動可能なものであっても良い。
【００３６】
［硬化装置］
硬化装置３は、図５に示すように、ワークＷが載置される載置台３１と、載置台３１の上方に配置された照射ユニット３３を備える。
【００３７】
照射ユニット３３は、硬化エネルギーとしての紫外線を照射する装置から構成される。照射するエネルギーの種類は、ワークＷの貼り合せに使用する接着剤Ｒの種類によって、紫外線の他にも、赤外線などの電磁波、粒子線からなる放射線等から適宜選択することができる。例えば、照射ユニット３３は、紫外線を発することができる１つまたは複数のランプやＬＥＤ等から構成することができる。照射ユニット３３の照射は、接着剤Ｒを硬化するのに必要な量のエネルギーを照射することができるように調節されている。このエネルギーの量は、照射の強度と時間により調整される。
【００３８】
［制御装置］
制御装置７は、表示装置用部材の製造装置１００の動作を制御する装置である。制御装置７は、各部を構成する装置の動作の制御や、ワークＷの搬送タイミングの制御、さらには各装置の動作に必要な検出処理や算出処理等を行う。
【００３９】
制御装置７は、例えば、専用の電子回路若しくは所定のプログラムで動作するコンピュータ等によって実現できる。なお、制御装置７にスイッチ、タッチパネル、キーボード、マウス等の入力装置を接続し、オペレータが制御装置７を操作できるようにしても良い。また、装置やパネルの状態を確認するためのディスプレイ、ランプ、メータ等の出力装置を接続しても良い。
【００４０】
［動作］
以上のような構成を有する表示装置用部材の製造装置１００の動作例を、図１〜図５に加え、図６〜図８を参照して説明する。なお、各装置や液晶パネルＳ１及びカバーパネルＳ２の位置及び大きさ等は、説明のための便宜的な表現に過ぎない。
【００４１】
上述したように、表示装置用部材の製造装置１００での処理の対象となるワークは、様々なものがある。ここでは、一例として、表示パネルとカバーパネルＳ２に対してそれぞれの処理を行い、表示装置用部材Ｌを構成する場合を説明する。
【００４２】
表示パネルは、液晶パネルや有機ＥＬパネル等の様々な種類があり、その形状も様々であるが、ここでは一例として図６（Ａ）及び（Ｂ）で示すような、矩形状の液晶パネルＳ１を使用する例を説明する。
【００４３】
カバーパネルも様々な種類や形状があるが、本実施形態では、図６（Ｃ）及び（Ｄ）に示すように、液晶パネルＳ１より大きな、矩形状のカバーパネルＳ２を用いる。このカバーパネルＳ２の一面には、外縁を縁取るように所定幅の印刷枠Ｐが形成されている。印刷枠Ｐに囲まれた領域は液晶パネルＳ１よりも若干小さい。そのため、液晶パネルＳ１とカバーパネルＳ２を重ね合わせると、図６（Ｅ）に示すように、液晶パネルＳ１は印刷枠Ｐに囲まれた領域に加えて、印刷枠Ｐの一部分も覆う。カバーパネルＳ２の、液晶パネルＳ１と重なる領域を、接着領域と呼ぶ。言い換えれば、接着領域は、液晶パネルＳ１の全面と、カバーパネルＳ２の印刷枠Ｐに囲まれた部分及び印刷枠Ｐの一部分である。カバーパネルＳ２の接着領域以外の矩形の領域を、外縁領域と呼ぶ。なお、図示の例では、印刷枠Ｐで囲まれた領域は矩形であるが、五角形や六角形等の他の多角形状であっても良い。また、図６（Ｄ）、（Ｅ）において、印刷枠Ｐを所定の厚みを持って示しているが、実際には、印刷枠Ｐの厚さは、液晶パネルＳ１をカバーパネルＳ２との間に介在される接着剤層の厚さに比べて充分小さいものである。
【００４４】
本実施形態の表示装置用部材の製造装置１００では、接着剤塗布装置１、プラズマ処理装置５、貼合装置２での処理を通して、接着領域以外の領域、すなわち外縁領域に接着剤Ｒがはみ出さないように、液晶パネルＳ１とカバーパネルＳ２とを貼り合せる。本動作例では、液晶パネルＳ１に対して接着剤Ｒを塗布する場合を説明する。また、カバーパネルＳ２の印刷枠Ｐを有する面にプラズマ処理を行う場合を説明する。
【００４５】
液晶パネルＳ１及びカバーパネルＳ２は、図１に示すように、ローダ２００によって表示装置用部材の製造装置１００に搬入され、搬送装置４のコンベア４０上に搬送方向とは直交する方向に並べて載置され、搬送される。それぞれのパネルは、貼り合せ面となる面が上側になるように搬送される。すなわち、本実施形態では、液晶パネルＳ１は接着剤Ｒが塗布される面が上側に向くように載置され、カバーパネルＳ２は印刷枠Ｐが形成された面が上側に向くようにコンベア４０に載置される。
【００４６】
［接着剤塗布処理］
図２に示すように、液晶パネルＳ１は不図示のピックアップ手段によりピックアップされ、接着剤塗布装置１のステージ１１ａ上に載置される。
【００４７】
塗布ユニット１２のディスペンサ１２ｂの先端を、液晶パネルＳ１の塗り始めの位置に合わせる。接着剤Ｒを液晶パネルＳ１の表面に滴下することで、点状に塗布することができる。また、ステージ１１ａを移動させながら接着剤Ｒを連続して滴下することで、線状に塗布することができる。接着剤Ｒの吐出及び停止とステージ１１ａの移動を制御することで、液晶パネルＳ１に所望の形状で接着剤Ｒを塗布する。
【００４８】
塗布形状及び範囲は特定のものに限られず、様々なものが考えられる。例えば、図７（Ａ）に示すように、魚の骨のような形に塗布する態様が有る。具体的には、ワークの中心で交差するように長手方向及び短手方向それぞれに延びる十字の線を塗布する。さらに、長手方向を横断する線の両端から、四つの角部に向けて延びる線を塗布する。各線の塗る順序は自由である。貼り合せの際に接着剤Ｒが外へはみ出さないように、いずれの線の終端も、液晶パネルＳ１の外縁手前に位置するようにする。図７（Ｂ）に示すように、液晶パネルＳ１の面上に塗布された接着剤Ｒは、表面張力によって断面が半球形となっている。
【００４９】
塗布が完了すると、液晶パネルＳ１は不図示のピックアップ手段によって接着剤塗布装置１から搬出され、再び搬送装置４のコンベア４０上に載置される。
【００５０】
［プラズマ処理］
カバーパネルＳ２は不図示のピックアップ手段によりピックアップされ、図３に示すように、プラズマ処理装置５のステージ５１ａ上に載置される。カバーパネルＳ２へのプラズマ処理は、液晶パネルＳ１への接着剤塗布処理と並行して行っても良い。カバーパネルＳ２は、印刷枠Ｐを有する面を上に向けて載置する。
【００５１】
プラズマ発生器５２でプラズマを発生させながら、ステージ５１ａの移動を開始する。Ｘ及びＹ方向への移動により、カバーパネルＳ２の表面に酸素ラジカルが衝突する。
【００５２】
酸素ラジカルの衝突が及ぼす作用について、図８を用いて説明する。なお、わかりやすくするために、図８ではカバーパネルＳ２の印刷枠Ｐは図示していない。図８（Ａ）に示すように、カバーパネルＳ２の表面には、運搬等により付着した有機汚染物が堆積している。そのため、接着剤Ｒに対する親液性が低下した疎水面となっている。図８（Ｂ）に示すように、酸素ラジカルをカバーパネルＳ２の表面に衝突させることで、堆積した有機汚染物が酸素ラジカルによる酸化反応の作用により分解される。有機汚染物が分解された箇所は、接着剤Ｒに対する親液性が向上する。
【００５３】
ここで、ステージ５１ａに載置されたカバーパネルＳ２とプラズマ発生器５２の間にはマスキングユニット５３が配置されている。マスキングユニット５３はワークの所望の領域をプラズマ発生器５２から覆って、酸素ラジカルが衝突することを防ぐものである。上述したように、カバーパネルＳ２の外縁領域は液晶パネルＳ１と接着される領域ではないため、接着剤Ｒが外縁領域まで濡れ広がる必要は無い。そのため、本動作例において、マスキングユニット５３はこの外縁領域を覆ってプラズマ処理されないようにする。よって、マスキングユニット５３は、例えば外縁領域の形状に対応した矩形のフレームから構成すると良い。
【００５４】
矩形のフレームが外縁領域を覆うことによって、酸素ラジカルが外縁領域に衝突して有機汚染物が分解されることが防止される。結果として、図８（Ｃ）に示すように、接着領域は親水面となる一方、外縁領域は有機汚染物が除去されず、疎水面を保ったままとなる。すなわち、プラズマ処理装置５は、接着領域を改質して外縁領域よりも親液性を高くする接着領域改質装置として作用する。プラズマ処理が完了すると、カバーパネルＳ２は不図示のピックアップ手段によってプラズマ処理装置５から搬出され、再び搬送装置４のコンベア４０上の元の位置に載置される。
【００５５】
［貼合処理］
接着剤塗布処理とプラズマ処理を完了した液晶パネルＳ１及びカバーパネルＳ２はコンベア４０上を搬送され、不図示のピックアップ手段によって貼合装置２に搬入される。ここでは、一例として、上側プレート２３に接着剤Ｒを塗布した液晶パネルＳ１が保持され、下側プレート２２にカバーパネルＳ２が支持される場合を説明する。また、貼合処理を大気圧下で行う場合を説明する。
【００５６】
図４（Ａ）に示すように、カバーパネルＳ２はプラズマ処理された接着領域を有する面が上を向くように下側プレート２２に載置される。液晶パネルＳ１は、不図示の反転装置によって接着剤Ｒが塗布された面が下を向くように反転されて、上側プレート２３に受け渡されて保持機構により保持される。
【００５７】
貼り合せの前に、液晶パネルＳ１及びカバーパネルＳ２の位置補正を行っても良い。位置補正は公知の方法を用いることができる。例えば、貼合装置２にカメラを設置して、各パネルを撮像し、四隅の座標を検出する。制御装置７の記憶部にワークの各隅の位置基準値を予め格納しておき、その位置基準値と検出した各隅の座標との差分から位置補正量を算出することができる。
【００５８】
算出された位置補正量に基づいて、上側プレート２３を水平方向及び回転方向に動かすことで、液晶パネルＳ１及びカバーパネルＳ２の位置ずれを補正する。
【００５９】
位置ずれが補正された後、図４（Ｂ）に示すように、上側プレート２３が下側プレート２２に向かって下降し、上側プレート２３に保持されている液晶パネルＳ１を、下側プレート２２に支持されているカバーパネルＳ２に押し付ける。液晶パネルＳ１の表面に塗布された接着剤Ｒは、液晶パネルＳ１を介して下側プレート２２に押圧され、両パネルに密着することにより、両パネルを貼り合せる。
【００６０】
貼合装置２において、液晶パネルＳ１は、接着剤Ｒが塗布された面が下を向くように保持される。接着剤Ｒの塗布面を下に向けて貼り合せを行うことによって、貼り合せ時のボイドを低減することができる。本動作例とは逆に、液晶パネルＳ１を下側プレート２２上に載置すると、接着剤Ｒの塗布面が上を向くことになる。その場合、接着剤Ｒは断面半球形状を保つ。この状態で大気圧下で貼合処理を行うと、接着剤ＲのカバーパネルＳ２と面接触する部分が大きくなり、カバーパネルＳ２と接着剤Ｒとの間に空気を巻き込む可能性が高くなる。結果として、貼り合わされたパネルの間に気泡が発生する可能性が高くなる。
【００６１】
一方、本動作例のように、接着剤Ｒの塗布面を下に向けると、接着剤Ｒは自重によって下側に引っ張られ、つらら状になる。この状態で上側プレート２３を下降させると、つらら状の先端部分の狭い面積のみがカバーパネルＳ２に最初に接触してカバーパネルＳ２の面上を濡れ広がるため、空気を巻き込んで気泡が発生する可能性が低くなる。さらに上側プレート２３を下降させて液晶パネルＳ１の面とカバーパネルＳ２の面が直接接触すると、間に挟まれた接着剤ＲはさらにカバーパネルＳ２の面上を濡れ広がり、接着領域全体に広がる。
【００６２】
ここで、プラズマ処理を行わなかった場合と、プラズマ処理を行った本動作例との作用の違いを図９に示す。図９（Ａ）がプラズマ処理を行わなかった場合を示し、図９（Ｂ）がプラズマ処理を行った本動作例を示す。なお、わかりやすくするために、図９ではカバーパネルＳ２の印刷枠Ｐは図示していない。
【００６３】
プラズマ処理を行わなかった場合には、接着領域は有機汚染物が堆積したままの疎水面である。また、外縁領域との親液性の違いもない。したがって、接着剤Ｒは濡れ広がりにくく、また濡れ広がりの速度も有機汚染物の堆積量によって異なり、不安定である。さらに、液晶パネルＳ１に線状に塗布された接着剤Ｒは、接着領域をおおよそ同心円状に濡れ広がる。そのため、接着剤Ｒを図７（Ａ）で示した魚の骨のような形に塗布した場合、接着領域の角部は接着剤Ｒの到達が速いが、角部以外の部分は接着剤Ｒの到達が遅れる。結果として、図９（Ａ）に示すように、接着領域において接着剤Ｒが行き渡らない部分が生じたり、接着剤Ｒが外縁領域にまではみ出してしまう可能性がある。
【００６４】
一方、接着領域にプラズマ処理を行った場合には、有機汚染物が除去されて親液性が高くなるため、接着剤Ｒは濡れ広がりやすくなり、さらに濡れ広がりの速度も安定する。そのため、角部以外の部分にも接着剤Ｒが速やかに行き渡る。一方で、接着領域の外の外縁領域はプラズマ処理されていないため、接着領域よりも親液性が低い。したがって、接着剤Ｒの濡れ広がりは接着領域内に留まる傾向が高くなる。これによって、図９（Ｂ）に示すように、接着領域に万遍なく接着剤Ｒが行き渡り、かつ、外縁領域へのはみ出しが低減される。  
【００６５】
このように、液晶パネルＳ１とカバーパネルＳ２を貼り合せて積層体Ｓ１０を構成する。積層体Ｓ１０は、貼合装置２から搬出され、再び搬送装置４で搬送される。続いて、不図示のピックアップ手段によって硬化装置３へ搬入される。
【００６６】
［硬化処理］
硬化装置３においては、図５に示すように、積層体Ｓ１０は載置台３１に載置され、照射ユニット３３によって、接着剤Ｒが硬化するのに必要な強度の紫外線が照射され、接着剤Ｒの硬化が完了する。
【００６７】
［効果］
（１）本実施形態の表示装置用部材の製造装置１００は、第１のワークである液晶パネルＳ１に接着剤Ｒを点状又は線状に塗布する接着剤塗布装置１と、第２のワークであるカバーパネルＳ２の、液晶パネルＳ１と接着される接着領域に対して、他の領域である外縁領域よりも接着剤Ｒに対する親液性を高くする処理を行う接着領域改質装置として、プラズマ処理装置５を備える。表示装置用部材の製造装置１００はさらに、液晶パネルＳ１に塗布された接着剤ＲをカバーパネルＳ２に接触させることで、液晶パネルＳ１とカバーパネルＳ２を貼り合せる貼合装置２と、を備える。
【００６８】
プラズマ処理装置５でプラズマ処理を行うことにより、接着領域を改質して他の領域よりも親液性を高くし、液晶パネルＳ１とカバーパネルＳ２とを重ね合わせたときに両パネルＳ１、Ｓ２の間で接着剤Ｒが濡れ広がり易くすることで、接着剤Ｒを接着領域全体に行き渡らせ、かつ、他の領域との親液性の差によって、外縁領域へのはみ出しを低減することができる。結果として、表示装置用部材Ｌの品質を向上させ、製品の歩留りを向上させる。
【００６９】
また、本実施形態では、接着剤Ｒを塗布しない第２のワークのカバーパネルＳ２に対してプラズマ処理を行っている。接着剤Ｒを塗布するワークとしての液晶パネルＳ１にプラズマ処理を行うと、貼合処理の前に接着剤Ｒが液晶パネルＳ１の面上を濡れ広がる。一度濡れ広がった接着剤Ｒは、例え、塗布面を下向きにしたとしても、濡れ広がる前の状態に戻すことは困難である。これによって、貼合処理の際に対向するワークとの接触面積が大きくなり、大気圧下での貼り合せでは気泡の発生する可能性が高くなる。接着剤Ｒを塗布しないワークとしてのカバーパネルＳ２に対してプラズマ処理を行うことで、液晶パネルＳ１の接着領域の有機汚染物による疎水性は維持されたままであるので、液晶パネルＳ１上での接着剤Ｒの濡れ広がりは抑制される。この結果、カバーパネルＳ２との接触面積を小さくし、気泡の発生を低減させることができる。結果として、表示装置用部材Ｌの品質を向上させ、製品の歩留りを向上させる。
【００７０】
（２）プラズマ処理装置５は、カバーパネルＳ２の接着領域外の他の領域である外縁領域をマスキングするマスキングユニット５３を備えても良い。これによって、外縁領域がプラズマ処理されて親液性が高くなることを防止することができ、外縁領域へのはみ出しをより低減することができる。
【００７１】
（３）貼合装置２は、接着剤Ｒが塗布された面を下側にして液晶パネルＳ１を保持する上側プレート２３と、カバーパネルＳ２の接着領域を有する面を上側にして支持する下側プレート２２とを備える。接着剤Ｒが塗布された面を下側にして貼り合せを行うことで、接着剤Ｒが自重でつらら状になり、カバーパネルＳ２との接触面積が小さくなる。これによって、大気圧下での貼合処理の際に、空気を巻き込んで気泡が発生する可能性を低減することができる。
【００７２】
［第２の実施形態］
［構成］
次に、第２の実施形態について、図１０及び図１１を参照して説明する。第１の実施形態の構成要素と同一の構成要素については、同一の符号を付与し詳細な説明を省略する。
【００７３】
第２の実施形態では、接着領域改質装置として、プラズマ処理装置５に代わり親液材料供給装置６を設けている。図１０に示すように、親液材料供給装置６は、コンベア４０に沿って、接着剤塗布装置１と貼合装置２の間に配置されている。親液材料供給装置６は、カバーパネルＳ２の接着領域に親液性の高い材料を供給することによって、接着領域の親液性を外縁領域よりも高めるものである。
【００７４】
親液性の高い材料（以下、「親液材料」という）としては、たとえば、接着剤Ｒの密着を補助する材料とすることが考えられる。親液材料としては、接着剤Ｒ自体を用いることができる。あるいは、レジスト塗布等で用いられる密着助剤のように、化学的な付着力を得る薬品を用いることができる。
【００７５】
図１１（Ａ）に、親液材料供給装置６の構成例を示す。親液材料供給装置６は、カバーパネルＳ２を水平方向に往復移動可能に支持する支持ユニット６１と、支持ユニット６１の上方に配置された塗布ユニット６２を備える。
【００７６】
支持ユニット６１は、ステージ６１ａ及び駆動機構６１ｂを有する。ステージ６１ａは、カバーパネルＳ２が載置される平板状のテーブルである。駆動機構６１ｂは、ステージ６１ａをＸ方向に往復移動させる機構である。なお、Ｘ方向は図面の左右方向である。駆動機構６１ｂとしては、例えば、駆動源によって回転するボールねじとすることが考えられる。ただし、載置されたカバーパネルＳ２をＸ方向に往復移動可能な装置であれば、どのような装置であってもよい。駆動機構６１ｂにおけるステージ６１ａの移動の開始、停止及び速度は、制御装置７によって制御される。
【００７７】
塗布ユニット６２は、親液材料Ｍを収容するタンク６２ａと、スリットコータ６２ｂとを備えている。タンク６２ａは、親液材料Ｍの流路である配管及び親液材料Ｍの供給量を調節するバルブを介してスリットコータ６２ｂに接続される。スリットコータ６２ｂは、ポンプにより親液材料Ｍを面状に供給するスリットノズルを備えている。
【００７８】
スリットノズルは、カバーパネルＳ２の塗布面に平行で、カバーパネルＳ２の相対移動の方向、つまり、Ｘ方向に直交する方向に細長く延びた開口である。開口の長さは、塗布する領域に応じて適宜調整することができる。本実施形態では、カバーパネルのＳ２の接着領域に親液材料Ｍを塗布するため、開口は接着領域の幅に設定すると良い。
【００７９】
ローダ２００によって搬入されたカバーパネルＳ２は、不図示のピックアップ手段によりピックアップされ、親液材料供給装置６のステージ６１ａ上に載置される。カバーパネルＳ２への親液材料供給処理は、液晶パネルＳ１への接着剤塗布処理と並行して行っても良い。カバーパネルＳ２は、印刷枠Ｐを有する面を上に向けて載置される。
【００８０】
ステージ６１ａを駆動機構６１ｂによって移動させ、スリットノズルの先端位置に、カバーパネルＳ２の接着領域の始端の位置が来たところで、親液材料Ｍの吐出を開始する。ステージ６１ａは移動を継続することで、図１１（Ｂ）に示すように、接着領域に親液材料Ｍが面状に塗布されていく。スリットノズルの先端位置に、接着領域の終端の位置が来たところで、親液材料Ｍの吐出を終了する。これによって、カバーパネルＳ２の接着領域は親液材料Ｍで覆われ、他の領域、すなわち外縁領域よりも親液性が高くなる。親液材料供給処理の後に、第１の実施形態と同様に、貼合装置２において貼合処理を行う。
【００８１】
以上述べたように、第２の実施形態では、接着領域改質装置として親液材料供給装置６を備えている。接着領域に親液材料Ｍを供給することによって、第１の実施形態と同様に、接着領域の親液性が他の領域よりも高くなる。これによって、接着剤Ｒを接着領域全体に行き渡らせ、かつ外縁領域へのはみ出しを低減することができる。結果として、表示装置用部材の品質を向上させ、製品の歩留りを向上させる。
【００８２】
［その他の実施形態］
【００８３】
（１）上述の実施形態では、接着領域に対して親液性を高める処理を行ったが、接着領域以外の領域、すなわち外縁領域に対して撥液処理を行っても良い。これによって、相対的に接着領域の親液性が高くなり、接着剤Ｒの外縁領域への接着剤Ｒのはみ出しが防止される。撥液処理は、接着領域改質処理と組み合わせて行っても良い。撥液処理は、たとえばインクジェットノズル等の撥液処理装置を備えて、撥液剤を外縁領域に塗布しても良い。
【００８４】
（２）上述の実施形態では、接着領域改質装置としてプラズマ処理装置５と親液材料供給装置６を説明したが、これらに限られない。例えば、カバーパネルＳ２のパネル表面の粗さを変えることで親液性を高めても良い。この場合は、例えばサンドブラスト、ケミカルエッチング、プラズマエッチング、レーザーアブレーション等のパネル表面に粗さを付ける手段を備えるようにすると良い。例えば、パネル表面の活性状態を変えることで接着層誘導部を形成しても良い。また、例えば、パネル表面を水酸（ＯＨ）基終端化することで、パネル表面の活性状態を変え、親液性を高めることができる。パネルとしてシリカを原料とするガラスを用いる場合は、酸化処理を行うことで、水酸基（ＯＨ基）終端状態とすることができる。酸化処理としては、酸化プラズマ処理や薬液処理を用いることができる。
【００８５】
（３）表示装置用部材の製造装置１００は上述した装置の他にも、別の工程を行う装置を備えても良い。例えば、完成した液晶表示パネルを梱包するテーピングユニット等を備えても良い。また、接着剤Ｒの種類によって硬化処理が不要な場合や、硬化処理を別体の装置で行う場合等には、硬化装置３の無い表示装置用部材の製造装置１００としても良い。
【００８６】
（４）上述の実施形態では、液晶パネルＳ１を第１のワークとし、カバーパネルＳ２を第２のワークとして説明したが、もちろん、カバーパネルＳ２を第１のワークとし、液晶パネルＳ１を第２のワークとしても良い。また、液晶パネルＳ１及びカバーパネルＳ２はあくまで貼り合せ対象となるワークの一例である。接着剤Ｒを塗布するワークと接着領域改質処理を行うワークは特定の種類に限定されない。表示装置を構成する積層体となる部材であって、接着剤Ｒを介して貼り合わせるものであれば、種類、大きさ、形状、材質等は問わない。もちろん、印刷枠Ｐの無いワークを貼り合せても良い。例えば、偏光板等を含む表示パネル、操作用のタッチパネル、表面を保護するカバーパネルＳ２、平板状のバックライトやバックライトの導光板等、これらの少なくとも２種を貼合して表示装置用部材Ｌを構成するものであればよい。表示装置としても、液晶ディスプレイ、有機ＥＬディスプレイ等、貼り合わされる平板状のワークを有し、現在又は将来において利用可能な表示装置を広く含む。
【００８７】
（５）また、互いに貼り合わされる一対のワークは、１枚であっても、複数枚の積層体であってもよい。表示パネル、駆動回路、プリント基板を貼合した積層体に、さらに、タッチパネル、保護パネル又は複合パネルを貼合する等であってもよい。すなわち、表示装置用部材Ｌとして積層されるワークの積層数は、特定の数には限定されない。
【００８８】
（６）上述の実施形態では、カバーパネルＳ２の接着領域外の外縁領域を「他の領域」としたが、本発明において、「他の領域」とは親液性を高くする処理が行われるワークにおける、接着領域以外の領域には限らない。例えば、ワークの貼り合わされる面の全域が接着領域である場合、他方のワークにおける接着領域以外の領域を他の領域としても良い。
【符号の説明】
【００８９】
１  接着剤塗布装置
２  貼合装置
３  硬化装置
４  搬送装置
５  プラズマ処理装置
６  親液材料供給装置
７  制御装置
１１  支持ユニット
１１ａ  ステージ
１１ｂ  駆動機構
１２  塗布ユニット
１２ａ  タンク
１２ｂ  ディスペンサ
２２  下側プレート
２３  上側プレート
２５  駆動機構
３１  載置台
３３  照射ユニット
４０  コンベア
５１  支持ユニット
５１ａ  ステージ
５１ｂ  駆動機構
５２  プラズマ発生器
５３  マスキングユニット
６１  支持ユニット
６１ａ  ステージ
６１ｂ  駆動機構
６２  塗布ユニット
６２ａ  タンク
６２ｂ  スリットコータ
１００  表示装置用部材の製造装置
２００  ローダ
３００  アンローダ
Ｗ  ワーク
Ｓ１  液晶パネル
Ｓ２  カバーパネル
Ｐ  印刷枠
Ｓ１０  積層体
Ｌ  表示装置用部材
Ｒ  接着剤
【図１】
2017032752.tif 000003
【図２】
2017032752.tif 000004
【図３】
2017032752.tif 000005
【図４】
2017032752.tif 000006
【図５】
2017032752.tif 000007
【図６】
2017032752.tif 000008
【図７】
2017032752.tif 000009
【図８】
2017032752.tif 000010
【図９】
2017032752.tif 000011
【図１０】
2017032752.tif 000012
【図１１】
2017032752.tif 000013